(57)【要約】【課題】紙葉３を一度に大量に積載した場合や、紙葉３自体の状態が悪く癖があらかじめついているような場合には、シワや反りによる浮き８が大きくなる。すると給紙部ガイド板１だけでは浮き８を抑えきれず、紙詰まり等搬送障害の原因となった。【解決手段】シャフト５に軸支された給紙ローラ２と補助ローラ４が設けられている。給紙ローラ２は紙葉３の中心部分に、２つの補助ローラ４は両縁部分にそれぞれ当接している。また２つの補助ローラ４はシャフト５上で六角穴付き止めネジ７で固定されているが、この六角穴付き止めネジ７を緩めることによりシャフト５に沿って摺動移動し、当節位置を可変調整できる構造となっている。さらに２つの補助ローラ４は、給紙ローラ３と同径で形成されており、シャフトに対して常に空転する構造となっている。【選択図】    図１
2005015208.tif 000002
【特許請求の範囲】
【請求項１】
シャフトに対して一体回転可能に軸支され、積載された紙葉の中心付近に当接する給紙ローラと、前記シャフトに対して空転可能に軸支され、かつ前記紙葉の縁部近傍に当接する補助ローラと、前記シャフトと一体回転可能となるように該シャフトに対して前記補助ローラを固定する固定手段と、給紙される前記紙葉をガイドするガイド板とにより構成されることを特徴とする給紙機構。
【請求項２】
前記固定手段による固定を解除された前記補助ローラが、前記シャフトに沿って摺動移動可能に構成されることを特徴とする請求項１記載の給紙機構。
【発明の詳細な説明】
【０００１】
【発明の属する技術分野】
本発明は、プリンタやＦＡＸ等の印刷装置、ＯＣＲ（光学的文字読取装置）やＯＭＲ（光学的マーク読取装置）等の読取装置に備えられる、多数枚積載された紙葉類をホッパ等の蓄積部からピックアップして搬送するための給紙機構に関する。
【０００２】
【従来の技術】
従来の技術につき、図を用いて簡単に説明する。
【０００３】
従来、紙葉類の給紙機構においては、給紙ローラ２の回転に伴い、ホッパ部６に積載された紙葉３の一番上の一枚が摩擦力によってピックアップされ搬送される。この給紙ローラ２は、図５に示すように紙葉３の中心部分に当接するように配置される場合や、図６に示すように紙葉３の縁部分に当接するように配置される場合とがある。紙葉３のシワや反りにより生じる浮き８は、給紙されながら給紙部ガイド板１により抑えられる。
【０００４】
【発明が解決しようとする課題】
しかしながら、上述した従来の給紙機構では、以下に挙げるような問題点があった。
【０００５】
まず第一に、紙葉３をホッパ部６に積載した際、特に一度に大量に積載した場合や、紙葉３自体の状態が悪くはじめから紙葉に癖がついているような場合には、シワや反りによる浮き８が大きくなる。すると給紙部ガイド板１だけでは浮き８を抑えきれず、紙葉３に傷がついたり、先端部が折れ曲がるなどし、これが紙詰まり等搬送障害の原因となっていた。
【０００６】
また給紙ローラ２だけでは紙葉３との当接部がごく限られているため、特に幅広の大型な紙葉３を給紙する場合に、ピックアップが不安定になり、給紙部ガイド板１にぶつかったりすることで、斜め送り（紙葉が傾いた状態で搬送される状態）が発生しやすくなる。その結果、プリンタやＦＡＸなどの印刷装置であれば印刷結果に影響が生じ、またＯＣＲやＯＭＲなどの読取装置であれば読取エラーの原因となる場合もあった。
【０００７】
本発明は、このような課題を解消し、安定した紙葉の搬送を行い得る給紙機構を提供することを目的としている。
【０００８】
【課題を解決するための手段】
以上の課題を鑑み、本発明の給紙機構は、シャフトに対して一体回転可能に軸支され、積載された紙葉の中心付近に当接する給紙ローラと、前記シャフトに対して空転可能に軸支され、かつ前記紙葉の縁部近傍に当接する補助ローラと、前記シャフトと一体回転可能となるように該シャフトに対して前記補助ローラを固定する固定手段と、給紙される前記紙葉をガイドするガイド板とにより構成されることを特徴としている。
【０００９】
また、本発明の給紙機構は、前記構成に加えて更に、前記固定手段による固定を解除された前記補助ローラが、前記シャフトに沿って摺動移動可能に構成されることを特徴としている。
【００１０】
【特許文献１】
特開平１−３０１２７４号公報
【００１１】
【発明の実施の形態】
以下、本発明の実施形態について、図面を参照して詳細に説明する。図１は本発明の給紙機構の実施形態の構成を示す斜視図であり、図２は図１のＡ矢視図である。
【００１２】
図１において、シャフト５に軸支された給紙ローラ２と補助ローラ４が設けられている。図２において、給紙ローラ２は紙葉３の中心部分に、２つの補助ローラ４は両縁部分にそれぞれ当接している。また２つの補助ローラ４はシャフト５上で六角穴付き止めネジ７で固定されているが、この六角穴付き止めネジ７を緩めることによりシャフト５に沿って摺動移動し、当節位置を可変調整できる構造となっている。さらに２つの補助ローラ４は、給紙ローラ３と同径で形成されているが、製造誤差や摩耗の状態によっては給紙ローラ３の径と差が生じた際に斜め送りを発生させることのないよう、シャフトに対して常に空転する構造となっている。
【００１３】
続いて本発明の第２実施形態につき、図３及び図４を用いて説明する。図３は第２実施形態の構成を示す斜視図であり、図４は図３のＡ矢視図である。
【００１４】
図３においても、第１の実施形態と同様に、シャフト５に軸支された給紙ローラ２と補助ローラ４が設けられている。本例において、給紙ローラ２は紙葉３の一端（図４における右側端）に設置され、補助ローラ４は他端（図４における左側端）に設置されている。補助ローラ４は第一実施形態と同様に六角穴付き止めネジ７でシャフト５上に固定されている。補助ローラの可変調整については説明を割愛する。
【００１５】
【発明の効果】
以上説明してきたように、本発明の給紙機構は、給紙ローラと同径の空転する補助ローラを一つまたは複数設置することにより、以下に挙げるような効果を奏する。
【００１６】
まず、大量の紙葉を積載した際や、はじめから状態の悪い紙葉に生じたシワや反りによる浮きを、紙葉を給紙する前段階で強制できるので、紙葉に傷や折れができにくくなり、これを原因とする搬送障害の発生を軽減することが可能となる。
【００１７】
また、給紙ローラだけでは紙葉と当接している部分が少なく、特に幅広の大型紙については搬送状態が不安定となるが、補助ローラの働きによりこれが安定して行えるとともに、補助ローラを紙葉の種類に応じて可変調整することができ、常に良好な搬送を続けることが可能となる。
【図面の簡単な説明】
【図１】本発明の給紙機構の第１実施形態における外観斜視図である。
【図２】第１実施形態におけるＡ矢視図である。
【図３】本発明の給紙機構の第２実施形態における外観斜視図である。
【図４】第２実施形態におけるＡ矢視図である。
【図５】従来の給紙機構の一例を示す斜視図である。
【図６】従来の給紙機構の別の一例を示す斜視図である。
【符号の説明】
１    給紙部ガイド板
２    給紙ローラ
３    紙葉
４    補助ローラ
５    シャフト
６    ホッパ部
７    六角穴付き止めネジ
８    浮き
【図１】
2005015208.tif 000003
【図２】
2005015208.tif 000004
【図３】
2005015208.tif 000005
【図４】
2005015208.tif 000006
【図５】
2005015208.tif 000007
【図６】
2005015208.tif 000008